(57)【要約】  パケット転送モードで移動局（１００）を動作させる方法は、分散タイミングアドバンスメッセージを、基地局（１２２）から制御チャネル上で受信すること（５００）、を含む。上記分散タイミングアドバンスメッセージは、複数の移動局識別子及び関連付けられるタイミングアドバンス値を含む。上記移動局識別子のうちの１つは、上記移動局（１００）に対応するものとして識別される（５０２）。上記移動局識別子のうちの上記識別された１つに関連付けられる上記タイミングアドバンス値が判定される（５０４）。そして、上記タイミングアドバンス値に応じて、上記基地局（１２２）へのアップリンク送信のタイミングが調整される（５０６）。関連する移動局、複数の移動局へタイミングアドバンス値を通信するように基地局サブシステムを動作させる方法、基地局サブシステム、及び、基地局サブシステムによるタイミングアドバンス値の通信を制御するようにサービングＧＰＲＳサポートノード（１３０）を動作させる方法、もまた開示される。【選択図】図１
2015519794.tif 000002
【特許請求の範囲】
【請求項１】
パケット転送モードで移動局（１００）を動作させる方法であって、
複数の移動局識別子及び関連付けられるタイミングアドバンス値を含む分散タイミングアドバンスメッセージを、基地局（１２２）から制御チャネル上で受信すること（５００）と、
前記移動局（１００）に対応するものとして、前記移動局識別子のうちの１つを識別すること（５０２）と、
前記移動局識別子のうちの前記識別された１つに関連付けられる前記タイミングアドバンス値を判定すること（５０４）と、
前記タイミングアドバンス値に応じて、前記基地局（１２２）へのアップリンク送信のタイミングを調整すること（５０６）と、
を含む方法。
【請求項２】
前記移動局識別子は、一時フローアイデンティティ値であり、
前記分散タイミングアドバンスメッセージは、一時フローアイデンティティ値及びタイミングアドバンス値の関連付けられる複数のペアを含む、
請求項１の方法。
【請求項３】
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、ルーティングエリア更新メッセージ内に設定すること（６００）と、
前記基地局（１２２）を介してサービングＧＰＲＳサポートノード（１３０）へ前記ルーティングエリア更新メッセージを送信すること（６０２）と、
をさらに含む、請求項１〜２のいずれかの方法。
【請求項４】
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（７００）と、
前記基地局（１２２）を介してサービングＧＰＲＳサポートノード（１３０）へ、ＧＰＲＳアタッチプロセスの期間中に前記アップリンクメッセージを送信すること（７０２）と、
をさらに含む、請求項１〜３のいずれかの方法。
【請求項５】
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（８００）と、
前記基地局（１２２）を介して基地局サブシステム（１２２）へ、アップリンクパケット転送プロセスの期間中に前記アップリンクメッセージを送信すること（８０２）と、
をさらに含む、請求項１〜４のいずれかの方法。
【請求項６】
前記移動局（１００）は、パケット関連制御チャネル上で前記タイミングアドバンスメッセージを受信する、請求項１〜５のいずれかの方法。
【請求項７】
前記基地局（１２２）から、前記移動局（１００）へアップリンクＴＢＦを割り当てる一時ブロックフロー（ＴＢＦ）割り当てメッセージを受信すること（９００）と、
アップリンクキュー内で利用可能なデータパケットを、前記アップリンクＴＢＦを用いて前記基地局（１２２）へ送信すること（９０２）と、
ダウンリンクの前記パケット関連制御チャネルを、前記分散タイミングアドバンスメッセージの到来についてモニタリングすること（９０４）と、
前記移動局に対応する移動局識別子を含み関連付けられる前記タイミングアドバンス値を識別する分散タイミングアドバンスメッセージを、前記パケット関連制御チャネル上で前記基地局（１２２）から受信すること（９０６）と、
前記アップリンクキュー内で新たなデータパケットが利用可能であると判定すること（９０８）と、
前記分散タイミングアドバンスメッセージからの前記タイミングアドバンス値に応じて、前記基地局（１２２）への前記新たなデータパケットの送信のために使用すべきタイミングを判定すること（９１０）と、
前記アップリンクＴＢＦと前記新たなデータパケットの送信のために判定される前記タイミングアドバンスとを用いて、前記基地局（１２２）へ前記新たなパケットを送信すること（９１２）と、
をさらに含む、請求項６の方法。
【請求項８】
少なくとも１つのプロセッサ（１４２０）と、
前記少なくとも１つのプロセッサ（１４２０）へ連結され、少なくとも１つのメモリ（１４２２）において具現化されるコンピュータ読取可能なプログラムコードを含む当該少なくとも１つのメモリ（１４２２）と、
を備える移動局（１００）であって、
前記コンピュータ読取可能なプログラムコードは、前記少なくとも１つのプロセッサ（１４２０）により実行された場合に、前記少なくとも１つのプロセッサ（１４２０）に、
複数の移動局識別子及び関連付けられるタイミングアドバンス値を含む分散タイミングアドバンスメッセージを、基地局（１２２）から受信すること（５００）と、
前記移動局（１００）に対応するものとして、前記移動局識別子のうちの１つを識別すること（５０２）と、
前記移動局識別子のうちの前記識別された１つに関連付けられる前記タイミングアドバンス値を判定すること（５０４）と、
前記タイミングアドバンス値に応じて、前記基地局（１２２）へのアップリンク送信のタイミングを調整すること（５０６）と、
を含む動作を実行させる、移動局。
【請求項９】
前記移動局識別子は、一時フローアイデンティティ値であり、
前記タイミングアドバンスメッセージは、一時フローアイデンティティ値及びタイミングアドバンス値の関連付けられる複数のペアを含む、
請求項８の移動局（１００）。
【請求項１０】
前記少なくとも１つのプロセッサ（１４２０）により実行された場合に、前記少なくとも１つのプロセッサ（１４２０）に、
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、ルーティングエリア更新メッセージ内に設定すること（６００）と、
前記基地局（１２２）を介してサービングＧＰＲＳサポートノード（１３０）へ前記ルーティングエリア更新メッセージを送信すること（６０２）と、
を含む動作を実行させる、前記少なくとも１つのメモリ（１４２２）において具現化されるコンピュータ読取可能なプログラムコード、をさらに含む、請求項８〜９のいずれかの移動局（１００）。
【請求項１１】
前記少なくとも１つのプロセッサ（１４２０）により実行された場合に、前記少なくとも１つのプロセッサ（１４２０）に、
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（７００）と、
前記基地局（１２２）を介してサービングＧＰＲＳサポートノード（１３０）へ、ＧＰＲＳアタッチプロセスの期間中に前記アップリンクメッセージを送信すること（７０２）と、
を含む動作を実行させる、前記少なくとも１つのメモリ（１４２２）において具現化されるコンピュータ読取可能なプログラムコード、をさらに含む、請求項８〜１０のいずれかの移動局（１００）。
【請求項１２】
前記少なくとも１つのプロセッサ（１４２０）により実行された場合に、前記少なくとも１つのプロセッサ（１４２０）に、
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（８００）と、
前記基地局（１２２）を介して基地局サブシステム（１２０）へ、アップリンクパケット転送プロセスの期間中に前記アップリンクメッセージを送信すること（８０２）と、
を含む動作を実行させる、前記少なくとも１つのメモリ（１４２２）において具現化されるコンピュータ読取可能なプログラムコード、をさらに含む、請求項８〜１１のいずれかの移動局（１００）。
【請求項１３】
前記少なくとも１つのプロセッサ（１４２０）により実行された場合に、前記少なくとも１つのプロセッサ（１４２０）に、
前記基地局（１２２）から、前記移動局（１００）へアップリンク一時ブロックフロー（ＴＢＦ）を割り当てるＴＢＦ割り当てメッセージを受信すること（９００）と、
アップリンクキュー内で利用可能なデータパケットを、前記アップリンクＴＢＦを用いて前記基地局（１２２）へ送信すること（９０２）と、
ダウンリンクの前記パケット関連制御チャネルを、前記分散タイミングアドバンスメッセージの到来についてモニタリングすること（９０４）と、
前記移動局に対応する移動局識別子を含み関連付けられる前記タイミングアドバンス値を識別する分散タイミングアドバンスメッセージを、前記パケット関連制御チャネル上で前記基地局（１２２）から受信すること（９０６）と、
前記アップリンクキュー内で新たなデータパケットが利用可能であると判定すること（９０８）と、
前記タイミングアドバンスメッセージからの前記タイミングアドバンス値に応じて、前記基地局（１２２）への前記新たなデータパケットの送信のために使用すべきタイミングを判定すること（９１０）と、
前記アップリンクＴＢＦと前記新たなデータパケットの送信のために判定される前記タイミングアドバンスとを用いて、前記基地局（１２２）へ前記新たなデータパケットを送信すること（９１２）と、
を含む動作を実行させる、前記少なくとも１つのメモリ（１４２２）において具現化されるコンピュータ読取可能なプログラムコード、をさらに含む、請求項８〜１２のいずれかの移動局（１００）。
【請求項１４】
複数の移動局（１００）へタイミングアドバンス値を通信するために基地局サブシステム（１２０）を動作させる方法であって、
前記複数の移動局（１００）についてのタイミングアドバンス値を取得すること（１０００）と、
前記複数の移動局（１００）についての複数の移動局識別子及び対応する前記タイミングアドバンス値を含む分散タイミングアドバンスメッセージを生成すること（１００２）と、
前記分散タイミングアドバンスメッセージを前記複数の移動局（１００）へ通信すること（１００４）と、
を含む方法。
【請求項１５】
前記移動局識別子は、一時フローアイデンティティ値であり、
前記タイミングアドバンスメッセージは、一時フローアイデンティティ値及びタイミングアドバンス値の関連付けられる複数のペアを含む、
請求項１４の方法。
【請求項１６】
前記一時フローアイデンティティ値及び前記タイミングアドバンス値の前記複数のペアの数は、同じアップリンク無線周波数チャネル上のアップリンク一時ブロックフローを割り当てられた前記移動局（１００）であって、少なくとも１つの共通タイムスロット上でダウンリンク制御メッセージをモニタリングする当該移動局（１００）の数に基づく、
請求項１５の方法。
【請求項１７】
ＧＰＲＳアタッチプロセスの期間中に、前記移動局（１００）のうちの１つからメッセージを受信すること（１１００）と、
複数の移動局識別子及び関連付けられるタイミングアドバンス値を含む前記分散タイミングアドバンスメッセージから前記移動局（１００）のうちの前記１つがタイミングアドバンス値を判定することが可能であることを示す値を、前記メッセージが含むこと、を判定すること（１１０２）と、
前記移動局（１００）のうちの前記１つについての移動局識別子及び関連付けられるタイミングアドバンス値を含むように、前記タイミングアドバンスメッセージを生成すること（１１０４）と、
をさらに含む、請求項１５の方法。
【請求項１８】
サービングＧＰＲＳサポートノード（１３０）からメッセージを受信すること（１２００）と、
複数の移動局識別子及び関連付けられるタイミングアドバンス値を含む前記分散タイミングアドバンスメッセージから前記移動局（１００）のうちの１つがタイミングアドバンス値を判定することが可能であることを示す値を、前記メッセージが含むこと、を判定すること（１２０２）と、
前記移動局（１００）のうちの前記１つについての移動局識別子及び関連付けられるタイミングアドバンス値を含むように、前記タイミングアドバンスメッセージを生成すること（１２０４）と、
をさらに含む、請求項１５の方法。
【請求項１９】
少なくとも１つのプロセッサ（１４００）と、
前記少なくとも１つのプロセッサ（１４００）へ連結され、少なくとも１つのメモリ（１４０２）において具現化されるコンピュータ読取可能なプログラムコードを含む当該少なくとも１つのメモリ（１４０２）と、
を備える基地局サブシステム（１２０）であって、
前記コンピュータ読取可能なプログラムコードは、前記少なくとも１つのプロセッサ（１４２０）により実行された場合に、前記少なくとも１つのプロセッサ（１４２０）に、
複数の移動局（１００）についてのタイミングアドバンス値を取得すること（１０００）と、
前記複数の移動局（１００）についての複数の移動局識別子及び対応する前記タイミングアドバンス値を含む分散タイミングアドバンスメッセージを生成すること（１００２）と、
前記分散タイミングアドバンスメッセージを前記複数の移動局（１００）へ通信すること（１００４）と、
を含む動作を実行させる、基地局サブシステム。
【請求項２０】
前記移動局識別子は、一時フローアイデンティティ値であり、
前記分散タイミングアドバンスメッセージは、一時フローアイデンティティ値及びタイミングアドバンス値の関連付けられる複数のペアを含む、
請求項１９の基地局サブシステム（１２０）。
【請求項２１】
前記一時フローアイデンティティ値及び前記タイミングアドバンス値の前記複数のペアの数は、同じアップリンク無線周波数チャネル上のアップリンク一時ブロックフローを割り当てられた前記移動局（１００）であって、少なくとも１つの共通タイムスロット上でダウンリンク制御メッセージをモニタリングする当該移動局（１００）の数に基づく、
請求項２０の基地局サブシステム（１２０）。
【請求項２２】
前記少なくとも１つのプロセッサ（１４００）により実行された場合に、前記少なくとも１つのプロセッサ（１４００）に、
ＧＰＲＳアタッチプロセスの期間中に、前記移動局（１００）のうちの１つからメッセージを受信すること（１１００）と、
複数の移動局識別子及び関連付けられるタイミングアドバンス値を含む前記分散タイミングアドバンスメッセージから前記移動局（１００）のうちの前記１つがタイミングアドバンス値を判定することが可能であることを示す値を、前記メッセージが含むこと、を判定すること（１１０２）と、
前記移動局（１００）のうちの前記１つについての移動局識別子及び関連付けられるタイミングアドバンス値を含むように、前記分散タイミングアドバンスメッセージを生成すること（１１０４）と、
を含む動作を実行させる、前記少なくとも１つのメモリ（１４０２）において具現化されるコンピュータ読取可能なプログラムコード、をさらに含む、請求項２０の基地局サブシステム（１２０）。
【請求項２３】
前記少なくとも１つのプロセッサ（１４００）により実行された場合に、前記少なくとも１つのプロセッサ（１４００）に、
サービングＧＰＲＳサポートノード（１３０）からメッセージを受信すること（１２００）と、
複数の移動局識別子及び関連付けられるタイミングアドバンス値を含む前記分散タイミングアドバンスメッセージから前記移動局（１００）のうちの１つがタイミングアドバンス値を判定することが可能であることを示す値を、前記メッセージが含むこと、を判定すること（１２０２）と、
前記移動局（１００）のうちの前記１つについての移動局識別子及び関連付けられるタイミングアドバンス値を含むように、前記分散タイミングアドバンスメッセージを生成すること（１２０４）と、
を含む動作を実行させる、前記少なくとも１つのメモリ（１４０２）において具現化されるコンピュータ読取可能なプログラムコード、をさらに含む、請求項２０の基地局サブシステム（１２０）。
【請求項２４】
複数の移動局（１００）への基地局サブシステム（１２０）によるタイミングアドバンス値の通信を制御するように、サービングＧＰＲＳサポートノード（１３０）を動作させる方法であって、
移動局（１００）からメッセージを受信すること（１３００）と、
複数の移動局識別子及び関連付けられるタイミングアドバンス値を含む分散タイミングアドバンスメッセージからタイミングアドバンス値を判定するための定義されるケイパビリティを前記移動局（１００）が有することを示す値を、前記メッセージが含むこと、を判定すること（１３０２）と、
前記移動局（１００）が前記定義されるケイパビリティを有することを示す制御メッセージを、前記基地局サブシステム（１２０）へ通信すること（１３０４）と、
を含む方法。
【請求項２５】
前記移動局（１００）からの前記メッセージは、ルーティングエリア更新メッセージを含む、請求項２４の方法。
【請求項２６】
前記移動局からの前記メッセージは、ＧＰＲＳアタッチメッセージを含む、請求項２４の方法。
【発明の詳細な説明】
【技術分野】
【０００１】
［関連出願への相互参照］
本出願は、２０１２年４月１９日に提出された“Multireceiver  Timing  Advance  Provisioning”というタイトルの米国仮特許出願第６１／６３５，６０２号からの優先権の利益を主張し、その開示は全体として参照によりここに取り入れられる。
【０００２】
本開示は、無線通信を対象とし、より具体的には、複数の移動局へタイミングアドバンス値を提供する、ネットワークアクセス方法並びに関連する移動局及び基地局サブシステムを対象とする。
【背景技術】
【０００３】
典型的なセルラー無線システムにおいて、ユーザ機器ノード（ＵＥ）及び／又は無線端末ともいう移動局（ＭＳ）は、無線アクセスネットワーク（ＲＡＮ）を介して、１つ以上のコアネットワークと通信する。ＲＡＮは、複数のセルエリアに分割される地理的エリアをカバーし、各セルエリアは、無線基地局、基地局、ＲＡＮノード、“ＮｏｄｅＢ”及び／又は拡張ノードＢ“ｅＮｏｄｅＢ”ともいう基地局サブシステム（ＢＳＳ）によりサービスされる。セルエリアは、ＢＳＳサイトにあるＢＳＳ機器により無線カバレッジが提供される地理的エリアである。ＢＳＳは、当該ＢＳＳのレンジ内のＭＳと、ワイヤレス無線通信チャネルを通じて通信する。
【０００４】
ＢＳＳと通信するＭＳＳは、ＢＳＳへの送信用のデータを有する場合に、ランダムアクセスチャネル上でアクセス要求を送信し、そのアクセス要求に応じて、ＢＳＳは、当該ＭＳによるアップリンクデータ送信に割り当てられたアップリンクリソースを識別する割り当てメッセージを送信する。
【０００５】
全てのＭＳは、割り当てられたアップリンクリソース上でネットワークへ無線ブロックを送信することが可能となるように、妥当なタイミングアドバンス（ＴＡ）の値を有しなければならない。３ＧＰＰ  ＴＳ４４．０６０仕様書は、「TIMING_ADVANCE_VALUEフィールド内のPACKET  UPLINK  ASSIGNMENTにおいて初期タイミングアドバンスが提供され得る」と記述している。３ＧＰＰ  ＴＳ４４．０１８仕様書は、即時割り当て（Immediate  Assignment）メッセージが必須の“Timing  Advance”情報エレメント（ＩＥ）を含むと記述しており、当該ＩＥはＭＳへ初期タイミングアドバンス情報を提供する。
【０００６】
その後、いずれのタイミングアドバンスもPACKET  POWER  CONTROL/TIMING  ADVANCEメッセージで更新され、又は継続的なタイミングアドバンス手続が使用される。割り当てメッセージにタイミングアドバンスインデックスが含まれる場合、ＭＳは、パケットタイミングアドバンス制御チャネル（ＰＴＣＣＨ）上の自身の割り当てを用いて、継続的なタイミングアドバンス手続を使用するものとされる（３ＧＰＰ  ＴＳ４５．０１０参照）。
【０００７】
ＭＳは、３ＧＰＰ  ＴＳ４４．０６０のPACKET  POWER  CONTROL/TIMING  ADVANCEメッセージからなる専用メッセージ（即ち、各ＭＳへ個別に送信される）において周期的に妥当なＴＡ値を受信しない限り、割り当てられた無線リソースのアップリンク上で通常のバーストを送信することを許されない。
【０００８】
所与の無線リソースのセットを利用することを認められた移動局の数が増加するにつれ、専用の３ＧＰＰ  ＴＳ４４．０６０のPACKET  POWER  CONTROL/TIMING  ADVANCEメッセージを周期的に送信するための処理は、制御プレーン通信のサポートにおける増加した無線リソースの消費をもたらすであろう。そのため、ユーザプレーン転送のために利用可能な無線リソースの量は減少し、全体としての無線リソース利用効率は同様に減少することになる。
【発明の概要】
【発明が解決しようとする課題】
【０００９】
無線システムの事業者は、システムの無線リソース利用効率の絶え間ない改善を追求し、関連して、共有無線リソースに割り当て可能な移動局の数を増加させることを追求する。無線リソース利用効率は、割り当てられた移動局のセットをサポートするために要するシグナリング（制御プレーン通信）の量を削減することにより改善され得る。無線リソース利用効率は、ある時間ピリオド上で計測される、所与の割り当てリソースのセットを用いて送信されるユーザプレーンデータのオクテットでの量を、割り当てリソースの同じセットを用いて送信される合計オクテット数で除算した商、として計算されることができる。
【課題を解決するための手段】
【００１０】
ここで開示される１つの実施形態は、パケット転送モードで移動局を動作させる方法、を対象とする。上記方法は、分散タイミングアドバンスメッセージを、基地局から制御チャネル上で受信すること、を含む。上記分散タイミングアドバンスメッセージは、複数の移動局識別子及び関連付けられるタイミングアドバンス値を含む。上記移動局識別子のうちの１つが、上記移動局に対応するものとして識別される。上記移動局識別子のうちの上記識別された１つに関連付けられる上記タイミングアドバンス値が判定される。そして、上記タイミングアドバンス値に応じて、上記基地局へのアップリンク送信のタイミングが調整される。
【００１１】
上記方法は、そのようにして、進行中のアップリンク一時ブロックフロー（ＴＢＦ）を有しつつも未処理の無線リンク制御（ＲＬＣ）データブロックを有しない移動局（従って、単一の移動局向けのＡｃｋ／Ｎａｃｋ情報を提供するレガシータイプの制御プレーンメッセージを受信する必要の無い移動局。当該レガシータイプの制御プレーンメッセージもまた、タイミングアドバンス情報を提供可能である）などの、複数の移動局へのタイミングアドバンス値の提供のために必要とされる制御プレーンメッセージの送信の量を削減し得る。この制御プレーン送信の削減は、ユーザプレーン無線ブロック送信の回数の増加を可能とし、それにより無線リソース利用効率を改善し得る。
【００１２】
さらなる実施形態では、上記基地局から、パケット関連制御チャネル上で、ＴＢＦ割り当てメッセージが受信される。ＴＢＦ割り当てメッセージは、上記移動局へアップリンク一時ブロックフロー（ＴＢＦ）を割り当てる。アップリンクキュー内で利用可能なデータパケット（ＬＬＣ  ＰＤＵとして知られる）が、上記移動局から上記アップリンクＴＢＦを用いて上記基地局へ送信される。上記移動局は、利用可能な全てのデータパケットの転送を完了させ、ダウンリンクの上記パケット関連制御チャネルを、上記分散タイミングアドバンスメッセージの到来についてモニタリングする。上記移動局は、分散タイミングアドバンスメッセージを、上記パケット関連制御チャネル上で上記基地局から受信する。上記分散タイミングアドバンスメッセージは、上記移動局に対応する移動局識別子を含み、関連付けられる上記タイミングアドバンス値を識別する。上記移動局は、上記アップリンクキュー内で新たなパケットが利用可能であると判定し、上記分散タイミングアドバンスメッセージからの上記タイミングアドバンス値に応じて、上記基地局への上記新たなデータパケットの送信のために使用すべきタイミングを判定する。上記移動局は、上記アップリンクＴＢＦと上記新たなデータパケットの送信のために判定される上記タイミングアドバンスとを用いて、上記基地局へ上記新たなデータパケットを送信する。
【００１３】
ここで開示される他の実施形態は、少なくとも１つのプロセッサと、上記少なくとも１つのプロセッサへ連結される少なくとも１つのメモリと、を含む移動局を対象とする。上記少なくとも１つのメモリは、当該少なくとも１つのメモリにおいて具現化されるコンピュータ読取可能なプログラムコードを含み、上記コンピュータ読取可能なプログラムコードは、上記少なくとも１つのプロセッサにより実行された場合に、上記少なくとも１つのプロセッサに、分散タイミングアドバンスメッセージを基地局から受信することを含む動作を実行させる。上記分散タイミングアドバンスメッセージは、複数の移動局識別子及び関連付けられるタイミングアドバンス値を含む。上記移動局識別子のうちの１つが、上記移動局に対応するものとして識別される。上記移動局識別子のうちの上記識別された１つに関連付けられる上記タイミングアドバンス値が判定される。上記タイミングアドバンス値に応じて、上記基地局へのアップリンク送信のタイミングが調整される。
【００１４】
ここで開示される他の実施形態は、複数の移動局へタイミングアドバンス値を通信するために基地局サブシステムを動作させる方法、を対象とする。上記方法は、上記複数の移動局についてのタイミングアドバンス値を取得すること、を含む。上記複数の移動局についての複数の移動局識別子及び対応する上記タイミングアドバンス値を含む分散タイミングアドバンスメッセージが生成される。上記分散タイミングアドバンスメッセージは、上記複数の移動局へ通信される。
【００１５】
ここで開示される他の実施形態は、少なくとも１つのプロセッサと、上記少なくとも１つのプロセッサへ連結される少なくとも１つのメモリと、を含む基地局サブシステムを対象とする。上記少なくとも１つのメモリは、当該少なくとも１つのメモリにおいて具現化されるコンピュータ読取可能なプログラムコードを含み、上記コンピュータ読取可能なプログラムコードは、上記少なくとも１つのプロセッサにより実行された場合に、上記少なくとも１つのプロセッサに、上記複数の移動局についてのタイミングアドバンス値を取得すること、を含む動作を実行させる。上記複数の移動局についての複数の移動局識別子及び対応する上記タイミングアドバンス値を含む分散タイミングアドバンスメッセージが生成される。上記分散タイミングアドバンスメッセージは、上記複数の移動局へ通信される。
【００１６】
ここで開示される他の実施形態は、複数の移動局への基地局サブシステムによるタイミングアドバンス値の通信を制御するように、サービングＧＰＲＳサポートノードを動作させる方法、を対象とする。上記方法は、上記移動局からメッセージを受信すること、を含む。複数の移動局識別子及び関連付けられるタイミングアドバンス値を含む分散タイミングアドバンスメッセージからタイミングアドバンス値を判定するための定義されるケイパビリティを上記移動局が有することを示す値を、上記メッセージが含むこと、の判定がなされる。上記移動局が上記定義されるケイパビリティを有することを示す制御メッセージが、上記ＳＧＳＮから上記基地局サブシステムへ通信される。
【図面の簡単な説明】
【００１７】
本開示のさらなる理解を提供するために包含されており、本出願に取り入れられその一部を構成する添付図面は、ある発明概念の非限定的な実施形態を例示する。図面は次の通りである：
【００１８】
【図１】いくつかの実施形態に従って構成されるセルラ無線通信システムのブロック図である。
【図２】図１のセルラ無線通信システムの一部の簡易ブロック図であり、さらに、いくつかの実施形態に従って構成される分散タイミングアドバンスメッセージを例示している。
【図３】いくつかの実施形態に係る例示的な分散タイミングアドバンスメッセージを示している。
【図４】いくつかの実施形態に係る例示的な分散タイミングアドバンスメッセージを示している。
【図５】いくつかの実施形態に係る移動局による動作及び方法のフローチャートである。
【図６】いくつかの実施形態に係る移動局による動作及び方法のフローチャートである。
【図７】いくつかの実施形態に係る移動局による動作及び方法のフローチャートである。
【図８】いくつかの実施形態に係る移動局による動作及び方法のフローチャートである。
【図９】いくつかの実施形態に係る移動局による動作及び方法のフローチャートである。
【図１０】いくつかの実施形態に係る基地局サブシステムによる動作及び方法のフローチャートである。
【図１１】いくつかの実施形態に係る基地局サブシステムによる動作及び方法のフローチャートである。
【図１２】いくつかの実施形態に係る基地局サブシステムによる動作及び方法のフローチャートである。
【図１３】いくつかの実施形態に係るサービングＧＰＲＳサポートノードによる動作及び方法のフローチャートである。
【図１４】いくつかの実施形態に係る移動局、無線アクセスネットワーク及びサービングＧＰＲＳサポートノードを例示するブロック図である。
【発明を実施するための形態】
【００１９】
これより、発明概念の実施形態の例が示された添付図面を参照しながら、より充分に発明概念が説明されるであろう。これら発明概念は、しかしながら、多くの様々な形式で具現化されてよく、ここで述べられる実施形態に限定して解釈されるべきではない。また、留意すべきこととして、それら実施形態は、相互排他的ではない。１つの実施形態からのコンポーネントが他の実施形態に存在し／使用されることが暗黙的に想定され得る。
【００２０】
図１は、いくつかの実施形態に従って構成されるセルラ無線通信システムのブロック図である。本発明概念は、図１の実施形態には限定されず、概して任意のタイプの無線通信ネットワークにおいて具現化されてよい。
【００２１】
ユーザ機器ノード（ＵＥ）及び／又は無線端末ともいう移動局（ＭＳ）１００は、無線アクセスネットワーク（ＲＡＮ）１１０を介して１つ以上のコアネットワーク７０と通信する。ここで使用されるところによれば、ＭＳ１００は、通信ネットワークと無線チャネル１０２を通じて通信するいかなるデバイスをも含み、限定ではないものの、携帯電話（“セルラ”フォン）、ラップトップコンピュータ、タブレットコンピュータ、デスクトップコンピュータ、ゲームコンソール、及び／又はマシンタイプ通信（ＭＴＣ）デバイスを含み得る。
【００２２】
上で説明したように、ＲＡＮ１１０は、複数のセルエリアに分割される地理的エリアをカバーし、各セルエリアは、基地局サブシステム（ＢＳＳ）１２０によりサービスされ、ＢＳＳ１２０は、ＭＳ１００との間で、無線チャネル１０２を介し基地局（ＢＳ）１２２を通じて通信する。ＢＳ１２２を介してＢＳＳ１２０と通信するＭＳ１００は、ＭＳ１００がＢＳＳ１２０への送信のためのデータを有する場合に、ランダムアクセスチャネル上でアクセス要求を送信する。アクセス要求に応じて、ＢＳＳ１２０は、ＭＳ１００のアップリンクデータ送信に割り当てられたアップリンクリソースを識別する割り当てメッセージを送信する。
【００２３】
全てのＭＳ１００は、ＢＳＳ１２０へアップリンク上で無線ブロックを送信することが可能となるように、妥当なタイミングアドバンス（ＴＡ）の値を有しなければならない。以下にさらに詳細に説明されるように、いくつかの実施形態は、単一の制御プレーンメッセージにおいて共有無線リソース上で複数のＭＳ１００へＴＡ値を提供すること、を対象とする。当該単一の制御プレーンメッセージは、複数のＭＳ１００宛ての複数のＴＡ値を含み得る。それにより、パケット転送モードにある複数のＭＳ１００へのＴＡ情報の周期的な送信をサポートするために要する制御プレーンシグナリングの量の削減／最小化が可能とされる。
【００２４】
いくつかの実施形態において、制御プレーンメッセージは、複数のＭＳ１００のための複数のＴＡ値を含むように提供される。図２は、図１のセルラ無線通信システムの一部の簡易ブロック図であり、いくつかの実施形態に係る複数のＭＳ１００のためのＴＡ値を含む分散タイミングアドバンスメッセージ（distribution  timing  advance  message）２００を例示している。分散タイミングアドバンスメッセージ２００は、パケット関連制御チャネル（ＰＡＣＣＨ：Packet  Associated  Control  Channel）上でＢＳ１２２から複数のＭＳ１００へ周期的に送信される。
【００２５】
図３は、図２のメッセージ２００として使用され得る分散タイミングアドバンスメッセージの例示的な内容を示しており、当該分散タイミングアドバンスメッセージは、複数のＭＳ１００のためのＴＡ値を符号化する。図３を参照すると、分散タイミングアドバンスメッセージの内容は、PAGE  MODE値（２ビット）、Number_of_UPLINK_TFIs値（４ビット）、並びにUPLINK_TFI値（各５ビット）及び関連付けられるＴＡ値（TIMING_ADVANCE_VALUE（各６ビット））のペア群、を含む。Number_of_UPLINK_TFIs値（４ビット）は、この分散タイミングアドバンスメッセージにおいていくつのＭＳ１００が宛て先とされるかを識別する。UPLINK_TFI値（各５ビット）は、各々、ＭＳ１００の異なる１つについてのアップリンクアイデンティティを提供する。UPLINK_TFI値のうちの１つに対応する特定のＭＳ１００は、当該分散タイミングアドバンスメッセージ内で対応するTIMING_ADVANCE_VALUEを識別し、当該TIMING_ADVANCE_VALUEを用いて基地局１２２へのアップリンク送信のタイミングを調整する。関連付けられるUPLINK_TFI及びTIMING_ADVANCE_VALUEのペアの数は、ＴＡ値が対象とするＭＳ１００の数に基づく（例えば、ペアの数は、ＭＳ１００の数又は“val(Number_of_UPLINK_TFIs)＋１”に等しい）。関連付けられるペアの数は、従って、同じアップリンク無線周波数チャネル上でアップリンク一時ブロックフローを割り当てられた、少なくとも１つの共通タイムスロット上でダウンリンク制御メッセージをモニタリングするＭＳ１００の数、に基づくことができる。
【００２６】
ＭＳ１００は、進行中のアップリンクＴＢＦについて未処理の無線リンク制御（ＲＬＣ）データブロックを有しないためにレガシーのパケットアップリンクＡｃｋ／Ｎａｃｋ（ＰＵＡＮ）制御プレーンメッセージを期待しない（即ち、レガシーＰＵＡＮは、第一にＭＳ１００により送信され但し未だＢＳＳ１２０により確認応答がなされていないアップリンクＲＬＣデータブロックについてのＡｃｋ／Ｎａｃｋ情報をＭＳ１００へ提供することを可能とし、ＴＡ情報をＭＳ１００へ提供することも可能とする）ケースで、分散タイミングアドバンスメッセージを読むことを選択するであろう。なぜなら、それは複数のＭＳ１００のためのＴＡ情報を含むことを実現するからである。分散タイミングアドバンスメッセージは、（それが複数のＭＳ１００により受信されるよう意図されていることから）確認応答されず、ＭＳ１００が所与のインスタンスを読むことができなくても次のインスタンスを読むことができ得るように（即ち、最小の受入可能な周期性に従う制御プレーンメッセージの文脈の範囲内で、ＭＳ１００がＴＡ情報を受信しないリスクが極めて低くなるように）、十分な頻度で送信される。
【００２７】
複数のＭＳ１００のための一時フローアイデンティティ値とタイミングアドバンス値との間の関連付けのペアリングは、より一般化された分散タイミングアドバンスメッセージについて図４に示されており、これが図２のメッセージ２００として使用されてもよい。分散タイミングアドバンスメッセージは、同じアップリンク無線周波数チャネル上でアップリンク一時ブロックフローを割り当てられた、少なくとも１つの共通タイムスロット上でダウンリンク制御メッセージをモニタリングするＭＳ１００の数Ｎについて、ＴＡ値を符号化する。従って、アップリンクＴＦＩの数はＮであり、一時フローアイデンティティ値とタイミングアドバンス値とのＮ個のペアが、同じメッセージインスタンス内に収容される。当該タイミングアドバンスメッセージを、Ｎ個のＭＳ１００が基地局１２２からＰＡＣＣＨ上で受信する。
【００２８】
図４の例において、第１のＭＳ（ＭＳ＿１）は、自身の一時フローアイデンティティ値（Uplink_TFI_MS_1）を識別し、関連付けられるTiming_Advance_Value_1から自身のＴＡ値を判定し、Timing_Advance_Value_1に応じて基地局１２２へのアップリンク送信のタイミングを調整するであろう。第２のＭＳ（ＭＳ＿２）は、自身の一時フローアイデンティティ値（Uplink_TFI_MS_2）を識別し、関連付けられるTiming_Advance_Value_2から自身のＴＡ値を判定し、Timing_Advance_Value_2に応じて基地局１２２へのアップリンク送信のタイミングを調整するであろう。他のＭＳは同一／同様のやり方で動作し、Ｎ番目のＭＳはその一時フローアイデンティティ値（Uplink_TFI_MS_N）を識別し、関連付けられるTiming_Advance_Value_Nから自身のＴＡ値を判定し、Timing_Advance_Value_Nに応じて基地局１２２へのアップリンク送信のタイミングを調整するであろう。このやり方で、単一の分散タイミングアドバンスメッセージのインスタンスが、複数のＮ個のＭＳ１００へＴＡ値を通信して、Ｎ個のＭＳ１００に当該ＴＡ値に応じて基地局１２２へのそれぞれのアップリンク送信のタイミングを調整させる。
【００２９】
これら及びさらなる実施形態が図５〜図９の文脈において以下にさらに説明され、図５〜図９は、移動局１００による動作及び方法のフローチャートを示している。図５は、パケット転送モード（packet  transfer  mode）でＭＳ１００を動作させる方法を例示しており、ＭＳ１００は、複数のＭＳ１００についてのＴＡ値を含み得る分散タイミングアドバンスメッセージを受信し及び利用するように構成される。本方法は、基地局１２２から制御チャネル（例えば、ＰＡＣＣＨ）上で分散タイミングアドバンスメッセージを受信すること（ブロック５００）、を含む。分散タイミングアドバンスメッセージは、複数の移動局識別子及び関連付けられるタイミングアドバンス値を含む。移動局識別子のうちの１つが、移動局１００に対応するものとして識別される（ブロック５０２）。移動局識別子のうちの識別された１つに関連付けられるタイミングアドバンス値が判定される（ブロック５０４）。当該タイミングアドバンス値に応じて、基地局１２２へのアップリンク送信のタイミングが調整される（ブロック５０６）。
【００３０】
移動局識別子は、一時フローアイデンティティ値であってよく、分散タイミングアドバンスメッセージは、一時フローアイデンティティ値及びタイミングアドバンス値の関連付けられる複数のペアを含み得る（例えば、図３及び図４に示した通り）。
【００３１】
レガシーＭＳは、複数のＭＳ１００についてのＴＡ値を含むタイミングアドバンスメッセージを受信し及び適切に利用するように構成されていないため、ＭＳ１００は、ＭＳ１００が複数の移動局識別子及び関連付けられるタイミングアドバンス値を含むタイミングアドバンスメッセージを用いて分散タイミングアドバンス値を受信し及び判定することが可能であること、を識別する情報を、メッセージ内に含めるように構成されてもよい。以下にさらに詳細に説明されるように、ＭＳ１００は、ケイパビリティ情報を含む当該メッセージを、ＢＳＳ１２０へ、及び／又は図１に示したＳＧＳＮ１３０といったサービングＧＰＲＳ（General  Packet  Radio  Service）サポートノードへ通信してもよい。ケイパビリティ情報を含むメッセージがＭＳ１００からＳＧＳＮ１３０へ通信される場合、ＢＳＳ１２０は、このケイパビリティ情報をＳＧＳＮ１３０から取得することができる。ＢＳＳ１２０は、このＭＳ１００のケイパビリティの標識を用いて、当該ＭＳ１００についてのタイミングアドバンス値を分散タイミングアドバンスメッセージ内に含めることを決定する。その分散タイミングアドバンスメッセージは、それぞれ同様のメッセージ内のタイミングアドバンス値を受信し及び識別することが可能であるとやはり既に示した、他のＭＳ１００についてのタイミングアドバンス値をも含む。
【００３２】
当分野ではよく知られているように、ＳＧＳＮ１３０は、その地理的なサービスエリアの範囲内のＭＳ１００との間の（ＬＬＣ  ＰＤＵとしても知られる）データパケットのデリバリについて責任を有し得る。ＳＧＳＮ１３０のタスクは、パケットのルーティング及び転送、モビリティ管理（アタッチ／デタッチ及びロケーション管理）、論理リンク管理、並びに、認証及び課金機能を含み得る。
【００３３】
図６に、ＭＳ１００が自身のケイパビリティを示すために使用し得る１つのアプローチが示されている。ＭＳ１００は、複数の移動局識別子及び関連付けられるタイミングアドバンス値を含む分散タイミングアドバンスメッセージからＭＳ１００がＭＳ１００のためのタイミングアドバンス値を判定することが可能であることを示す値を、ルーティングエリア更新メッセージ内に設定する（ブロック６００）。ＭＳ１００は、基地局１２２を介してＳＧＳＮ１３０へ当該ルーティングエリア更新メッセージを送信する（ブロック６０２）。以下により詳細に説明されるように、この実施形態において、ＢＳＳ１２０は、ＭＳ１００についてのケイパビリティ標識（indication）をＳＧＳＮ１３０から取得することができる。
【００３４】
図７に、ＭＳ１００が自身のケイパビリティを示すために使用し得る他のアプローチが示されている。ＭＳ１００は、複数の移動局識別子及び関連付けられるタイミングアドバンス値を含む分散タイミングアドバンスメッセージからＭＳ１００がＭＳ１００のためのタイミングアドバンス値を判定することが可能であることを示す値を、アップリンクメッセージ内に設定する（ブロック７００）。ＭＳ１００は、基地局１２２を介してＳＧＳＮ１３０へ、ＧＰＲＳアタッチプロセスの期間中に当該アップリンクメッセージを送信する（ブロック７０２）。以下により詳細に説明されるように、この実施形態において、ＢＳＳ１２０は、ＭＳ１００についてのケイパビリティ標識をＳＧＳＮ１３０から取得することができる。
【００３５】
図８に、ＭＳ１００が自身のケイパビリティを示すために使用し得る他のアプローチが示されている。ＭＳ１００は、複数の移動局識別子及び関連付けられるタイミングアドバンス値を含む分散タイミングアドバンスメッセージからＭＳ１００がＭＳ１００のためのタイミングアドバンス値を判定することが可能であることを示す値を、アップリンクメッセージ内に設定する（ブロック８００）。ＭＳ１００は、基地局１２２を介してＢＳＳ１２０へ、アップリンクパケット転送プロセスの期間中に当該アップリンクメッセージを送信する（ブロック８０２）。
【００３６】
分散タイミングアドバンスメッセージ内でＴＡ値を受信し、受信した当該ＴＡ値について動作するためのＭＳ１００のさらなる動作は、図９の通りである。図９を参照すると、ＭＳ１００は、ＢＳ１２２から、ＭＳ１００へアップリンクＴＢＦを割り当てる一時ブロックフロー（ＴＢＦ）割り当てメッセージを受信する（ブロック９００）。ＭＳ１００は、アップリンクキュー内で利用可能なデータパケットを、アップリンクＴＢＦを用いてＢＳ１２２へ送信する（ブロック９０２）。ＭＳ１００は、１つ以上のダウンリンクタイムスロット（例えば、アップリンクＴＢＦに割り当てられたアップリンクタイムスロットに対応するダウンリンクタイムスロット）上のダウンリンクのパケット関連制御チャネルを、分散タイミングアドバンスメッセージの到来についてモニタリングする（ブロック９０４）。ＭＳ１００は、分散タイミングアドバンスメッセージを、パケット関連制御チャネル上でＢＳ１２２から受信する（ブロック９０６）。分散タイミングアドバンスメッセージは、ＭＳ１００に対応する移動局識別子を含み、関連付けられるタイミングアドバンス値を識別する。ＭＳ１００は、アップリンクキュー内で新たなデータパケットが利用可能であると判定する（ブロック９０８）。ＭＳ１００は、タイミングアドバンスメッセージからのタイミングアドバンス値に応じて、ＢＳ１２２への新たなデータパケットの送信のために使用すべきタイミングを判定する（ブロック９１０）。そして、ＭＳ１００は、アップリンクＴＢＦと新たなパケットの送信のために判定されるタイミングアドバンスとを用いて、ＢＳ１２２へ新たなパケットを送信する（ブロック９１２）。
【００３７】
複数の移動局１００へタイミングアドバンス値を通信するための、ＢＳＳ１２０による対応する動作及び方法が、いくつかの実施形態に係る図１０〜図１２のフローチャートに例示されている。
【００３８】
図１０を参照すると、ＢＳＳ１２０は、複数のＭＳ１００についてのタイミングアドバンス値を取得する（ブロック１０００）。ＢＳＳ１２０は、複数のＭＳ１００についての複数の移動局識別子及び対応するタイミングアドバンス値を含む分散タイミングアドバンスメッセージを生成する（ブロック１００２）。ＢＳＳ１２０は、当該タイミングアドバンスメッセージを複数のＭＳ１００へ通信する（ブロック１００４）。
【００３９】
上で説明したように、上記移動局識別子は、一時フローアイデンティティ値であってよく、上記タイミングアドバンスメッセージは、一時フローアイデンティティ値及びタイミングアドバンス値の関連付けられる複数のペアを含み得る。同じ分散タイミングアドバンスメッセージ内に含まれる一時フローアイデンティティ値及びタイミングアドバンス値の上記複数のペアの数は、同じアップリンク無線周波数チャネル上のアップリンク一時ブロックフローを割り当てられたＭＳ１００であって、少なくとも１つの共通タイムスロット上でダウンリンク制御メッセージをモニタリングする当該ＭＳ１００の数に基づき得る。
【００４０】
図１１に、ＭＳ１００のうちの特定の１つが同じ分散タイミングアドバンスメッセージ内に含まれる様々なＭＳについての複数のタイミングアドバンス値の中から自身のタイミングアドバンス値を判定可能であるか、をＢＳＳ１２０が判定するために使用し得る１つのアプローチが示されている。ＢＳＳ１２０は、ＧＰＲＳアタッチプロセスの期間中に、ＭＳ１００のうちの１つからメッセージを受信する（ブロック１１００）。ＢＳＳ１２０は、複数の移動局識別子及び関連付けられるタイミングアドバンス値を含む分散タイミングアドバンスメッセージからＭＳ１００のうちの上記１つがタイミングアドバンス値を判定することが可能であることを示す値を、上記メッセージが含むこと、を判定し（ブロック１１０２）、この判定に基づいて、ＭＳ１００のうちの上記１つについての移動局識別子及び関連付けられるタイミングアドバンス値を含むように、分散タイミングアドバンスメッセージを生成する（ブロック１１０４）。
【００４１】
上で説明したように、ＭＳ１００は、自らが同じ分散タイミングアドバンスメッセージ内に含まれる様々なＭＳについての複数のタイミングアドバンス値の中から自身のタイミングアドバンス値を判定可能であること、を示す値を、ＳＧＳＮ１３０へ送信されるルーティングエリア更新メッセージ及び／又はアップリンクメッセージに設定し得る。図１２は、ここで開示されるタイミングアドバンスメッセージを使用するＭＳ１００のケイパビリティを判定するためにＭＳＳ１２０が使用し得る別のアプローチを例示している。図１２を参照すると、ＢＳＳ１２０は、ＳＧＳＮ１３０からメッセージを受信し（ブロック１２００）、複数の移動局識別子及び関連付けられるタイミングアドバンス値を含む分散タイミングアドバンスメッセージからＭＳ１００のうちの１つがタイミングアドバンス値を判定することが可能であることを示す値を、当該メッセージが含むこと、を判定する（ブロック１２０２）。そして、ＢＳＳ１２０は、ＭＳ１００のうちの上記１つについての移動局識別子及び関連付けられるタイミングアドバンス値を含むように、分散タイミングアドバンスメッセージを生成する（ブロック１２０４）。
【００４２】
ＭＳ１００からケイパビリティ情報を受信し、当該ケイパビリティ情報をＢＳＳ１２０へ転送するための、ＳＧＳＮ１３０による対応する動作及び方法が、いくつかの実施形態に従って図１３に例示されている。複数のＭＳ１００へのＢＳＳ１２０によるタイミングアドバンス値の通信を制御するように、ＳＧＳＮ１３０を動作させる方法は、ＭＳ１００からメッセージを受信すること（ブロック１３００）、を含み得る。ＳＧＳＮ１３０は、複数の移動局識別子及び関連付けられるタイミングアドバンス値を含む分散タイミングアドバンスメッセージからタイミングアドバンス値を判定するための定義されるケイパビリティをＭＳ１００が有することを示す値を、当該メッセージが含むこと、を判定する（ブロック１３０２）。ＳＧＳＮ１３０は、ＭＳ１００が定義されるケイパビリティを有することを示す制御メッセージを、ＢＳＳ１２０へ通信する（ブロック１３０４）。上で説明したように、ＭＳ１００からの受信される上記メッセージは、ルーティングエリア更新メッセージを含み得る。代替的に又は追加的に、ＭＳ１００からの受信される上記メッセージは、ＧＰＲＳアタッチメッセージを含み得る。
【００４３】
本開示では発明概念の実施形態を例示するために３ＧＰＰ（3rd  Generation  Partnership  Project）からの専門用語が使用されるが、その専門用語は発明概念の範囲をそれらシステムのみに限定しないものとする。ＬＴＥ（Long  Term  Evolution）、ＷＣＤＭＡ（Wideband  Code  Division  Multiple  Access）、ＷｉＭａｘ（Worldwide  Interoperability  for  Microwave  Access）、ＵＷＢ（Ultra  Mobile  Broadband）、ＨＳＤＰＡ（High-Speed  Downlink  Packet  Access）、ＧＳＭ（Global  System  for  Mobile  Communications）などを含む他の無線システムもまた、ここで開示される本発明概念の実施形態を利用することから恩恵を受け得る。
【００４４】
また、基地局サブシステム（例えば、ＢＳＳ、基地局、ＮｏｄｅＢ、ｅＮｏｄｅＢ又は拡張ＮｏｄｅＢ）及び移動局（例えば、ＭＳ、無線端末、ＵＥ又はユーザ機器）といった専門用語は、非限定的に考慮すべきであり、それら２つの間の何らかの階層的な関係を示唆しないことに留意されたい。概して、基地局サブシステム（例えば、ＢＳＳ）及び移動局（例えば、ＭＳ）は、ワイヤレス無線チャネル上で互いに通信するそれぞれ異なる通信デバイスの例であると見なされる。
【００４５】
図１４は、いくつかの実施形態に係る、ＭＳ１００、無線アクセスネットワーク（ＲＡＮ）１１０、及びＳＧＳＮ１３０を例示するブロック図である。ＭＳ１００及びＲＡＮ１１０は、いくつかの実施形態に従って無線チャネル１０２上で通信するように構成される。移動局ＭＳ１００は、アンテナアレイ１４２８とプロセッサ１４２０との間に連結される送受信器１４２６と、プロセッサ１４２０に連結されるユーザインタフェース１４２４と、プロセッサ１４２０に連結されるメモリ１４２２と、を含み得る。ＭＳ１００は、表示デバイス、入力インタフェース（例えば、キーボード、タッチ反応式ディスプレイ、キーパッド、音声認識など）、及びスピーカをも含み得る。プロセッサ１４２０は、共設され（例えば、同じ回路パッケージ内にあり、同じバックプレーンへ接続され、同じコンピュータ筐体内に収納される、など）、又は１つ以上のデータネットワークをまたいで分散され得る、汎用プロセッサ及び／又は特殊目的プロセッサ（例えば、マイクロプロセッサ及び／又はデジタル信号プロセッサ）といった１つ以上の命令実行回路を含み得る。プロセッサ１４２０は、ここでＭＳにより実行されるものとして説明した動作及び方法の少なくともいくつかを実行するために、コンピュータ読取可能な媒体として以下で説明されるメモリ１４２２からのコンピュータプログラム命令群を実行するように構成される。
【００４６】
ＲＡＮ１１０は、ＢＳＳ１２０及びＢＳ１２２を含み得る。ＢＳＳ１２０及びＢＳ１２２は、ＲＡＮ１１０内のハードウェアリソースを共有するものとして例示されているが、実際には、それらは、典型的には、通信可能に共にネットワーク化される（別個のハードウェアリソースを伴う）物理的には別個のデバイスであるであろう。ＲＡＮ１１０は、アンテナアレイ１４０８とプロセッサ１４００との間に連結される送受信器１４０６と、プロセッサ１４００に連結されるメモリ１４０２と、プロセッサ１４００に連結されるネットワークインタフェース１４０４と、を含み得る。ＲＡＮ１１０は、表示デバイス、入力インタフェース（例えば、キーボード、タッチ反応式ディスプレイ、キーパッド、音声認識など）、及びスピーカをも含み得る。プロセッサ１４００は、共設され（例えば、同じ回路パッケージ内にあり、同じバックプレーンへ接続され、同じコンピュータ筐体内に収納される、など）、又は１つ以上のデータネットワークをまたいで分散され得る、汎用プロセッサ及び／又は特殊目的プロセッサ（例えば、マイクロプロセッサ及び／又はデジタル信号プロセッサ）といった１つ以上の命令実行回路を含み得る。プロセッサ１４００は、ここでＢＳＳ１２０及び／又はＢＳ１２２により実行されるものとして説明した動作及び方法の少なくともいくつかを実行するために、コンピュータ読取可能な媒体として以下で説明されるメモリ１４０２からのコンピュータプログラム命令群を実行するように構成される。
【００４７】
ＳＧＳＮ１３０は、（ＲＡＮ１１０のネットワークインタフェース１４０４と通信する）ネットワークインタフェース１４１４と、メモリ１４１２と、表示デバイス、入力インタフェース（例えば、キーボード、タッチ反応式ディスプレイ、キーパッド、音声認識など）、及びスピーカを含み得るユーザインタフェース１４１６と、を含み得る。これらは、プロセッサ１４１０にまとめて連結される。プロセッサ１４１０は、共設され（例えば、同じ回路パッケージ内にあり、同じバックプレーンへ接続され、同じコンピュータ筐体内に収納される、など）、又は１つ以上のデータネットワークをまたいで分散され得る、汎用プロセッサ及び／又は特殊目的プロセッサ（例えば、マイクロプロセッサ及び／又はデジタル信号プロセッサ）といった１つ以上の命令実行回路を含み得る。プロセッサ１４１０は、ここでＳＧＳＮ１３０  １２２により実行されるものとして説明した動作及び方法の少なくともいくつかを実行するために、コンピュータ読取可能な媒体として以下で説明されるメモリ１４１２からのコンピュータプログラム命令群を実行するように構成される。
【００４８】
［略語］
読者の参照の容易さのために、本開示において使用される略語の一覧が以下に提供される。
３ＧＰＰ      Third  Generation  Partnership  Project
ＢＳＣ        Base  Station  Controller
ＢＳＳ        Base  Station  Subsystem
ｅＮｏｄｅＢ  E-UTRAN  NodeB
ＧＰＲＳ      General  Packet  Radio  Service
ＩＥ          Information  Element
ＬＬＣ        Logical  Link  Control
ＭＳ          Mobile  Station
ＰＡＣＣＨ    Packet  Associated  Control  Channel
ＰＤＵ        Packet  Data  Unit
ＰＳ          Packet  Switched
ＰＵＡＮ      Packet  Uplink  Ack/Nack
ＲＬＣ        Radio  Link  Control
ＳＧＳＮ      Serving  GPRS  Support  Node
ＳＧＷ        Serving  Gateway
ＴＡ          Timing  Advance  
ＴＢＦ        Temporary  Block  Flow
ＵＥ          User  Equipment
【００４９】
［さらなる定義及び実施形態］
本開示の多様な実施形態の上の説明において、理解されるべきこととして、そこで使用される専門用語は、単に特定の実施形態の説明の目的のためのものであって、本発明の限定を意図したものではない。特段の定義が無ければ、ここで使用されている（技術的用語及び学術的用語を含む）全ての用語は、本開示が属する分野における当業者により共通的に理解されるものと同じ意味を有する。さらに、一般に使用される辞書において定義されるような用語は、本明細書及び関連技術の文脈における意味と整合する意味を有するものとして解釈されるべきであって、ここで文字通り定義される理想化され又は過度に型通りの意味で解釈されないことが理解されるであろう。
【００５０】
あるエレメントが別のエレメントに「接続され（connected）」、「連結され（coupled）」、「応じる（responsive）」又はその派生語として言及される場合、それは当該別のエレメントに直接接続され、連結され、若しくは応じることができ、又は介在するエレメントが存在してもよい。対照的に、あるエレメントが別のエレメントに「直接接続され（directly  connected）」、「直接連結され（directly  coupled）」、「直接応じる（directly  responsive）」又はその派生語として言及される場合、介在するエレメントは存在しない。同様の番号は、全体を通じて同様のエレメントを指す。さらに、ここで使用されるところでは、「連結される」、「接続される」、「応じる」又はその派生語は、無線で連結され、接続され、又は応じることを含み得る。ここで使用されるところでは、単数形の「ａ」、「ａｎ」及び「ｔｈｅ」は、そうではないことを文脈が明確に示さない限り、複数形も同様に含むことが意図される。周知の機能又は構造は、簡潔さ及び／又は明確さのために詳細には説明されないことがあり得る。「及び／又は」という用語は、関連付けられる列挙された事項のうちの１つ以上のありとあらゆる組み合わせを含む。
【００５１】
ここで使用されるところでは、「備える／含む（comprise、comprising、comprises）」、「含む（include、including、includes）」、「有する（have、has、having）」又はそれらの派生語といった用語は、オープンエンド（open-ended）であり、１つ以上の記載された特徴、整数、エレメント、ステップ、コンポーネント又は機能を含むが、１つ以上の他の特徴、整数、エレメント、ステップ、コンポーネント、機能又はこれらの集合の存在又は追加を排除しない。さらに、ここで使用されるところでは、ラテン語のフレーズ「exempli  gratia」に由来する「e.g.（例えば）」という共通的な省略形は、その前に言及された事項の一般的な１つ又は複数の例を紹介し又は特定するために用いられ、そのような事項を限定することは意図されない。ラテン語のフレーズ「id  est」に由来する共通的な省略形「i.e.（即ち）」は、より一般的な記述から個別の事項を特定するために用いられ得る。
【００５２】
例示的な実施形態は、コンピュータにより実装される方法、装置（システム及び／若しくはデバイス）並びに／又はコンピュータプログラムプロダクトのブロック図及び／又はフローチャートによる例示を参照しつつ、ここで説明されている。ブロック図及び／又はフローチャートの説明のうちの１つのブロック、並びにブロック図及び／又はフローチャートの説明における複数のブロックの組み合わせは、１つ以上のコンピュータ回路によって実行されるコンピュータプログラム命令によって実装され得ることが理解される。これらのコンピュータプログラム命令は、汎用コンピュータ回路、特殊目的コンピュータ回路、及び／又はマシンを産み出すための他のプログラマブルデータ処理回路、のプロセッサ回路に提供されてもよく、それによって、コンピュータ及び／又は他のプログラマブルデータ処理装置のプロセッサを介して実行される当該命令は、そのような回路内のトランジスタ、メモリロケーションに記憶される値、及び他のハードウェアコンポーネントを変形し及び制御して、ブロック図及び／又はフローチャートの１つ又は複数のブロックにおいて特定される機能／動作を実装し、それによって、当該ブロック図及び／又はフローチャートのブロックにおいて特定される当該機能／動作を実装するための手段（機能性）及び／又は構造を生成し得る。
【００５３】
これらのコンピュータプログラム命令は、コンピュータ又は他のプログラマブルデータ処理装置に特定の手法で機能するように指示することができる有形のコンピュータ読取可能な媒体に記憶されてもよく、それによって、当該コンピュータ読取可能な媒体に記憶される当該命令は、ブロック図及び／又はフローチャートの１つ又は複数のブロックにおいて特定される機能／動作を実装する命令を含む製品を産み出す。
【００５４】
有形の非一時的なコンピュータ読取可能な媒体は、電子的な、磁気的な、光学的な、電磁気的な、若しくは半導体のデータストレージシステム、装置、又はデバイスを含み得る。コンピュータ読取可能な媒体のより具体的な例は、以下を含むであろう：ポータブルコンピュータディスケット、ＲＡＭ（random  access  memory）回路、ＲＯＭ（read-only  memory）回路、ＥＰＲＯＭ（erasable  programmable  read-only  memory）又はフラッシュメモリ回路、ポータブルＣＤ−ＲＯＭ（compact  disc  read-only  memory）、及びポータブルＤＶＤ（digital  video  disc）ＲＯＭ／BlueRay。
【００５５】
コンピュータプログラム命令は、コンピュータ及び／又は他のプログラマブルデータ処理装置にロードされ、一連の動作ステップが当該コンピュータ及び／又は他のプログラマブル装置上で実行されて、コンピュータ実装される処理を生成し、それによって、当該コンピュータ又は他のプログラマブル装置上で実行される上記命令は、ブロック図及び／又はフローチャートの１つ又は複数のブロックにおいて特定される機能／動作を実装するためのステップを提供する。従って、本開示の実施形態を、ハードウェア及び／又はソフトウェア（ファームウェア、常駐ソフトウェア、マイクロコードなどを含む）で具現化することができ、それらは「回路」、「モジュール」又はそれらの派生語で包括的に言及され得る、デジタル信号プロセッサといったプロセッサ上で稼働する。
【００５６】
幾つかの代替的な実装において、ブロック内に記述される機能／動作はフローチャートにおいて記述される順序とは異なる順序で発生し得ることにも留意すべきである。例えば、連続して示される２つのブロックは、実際には、実質的に同時に実行されてもよく、又は、これらのブロックは、関与する機能／動作に依存して、逆の順序で実行されることがあってもよい。さらに、フローチャート及び／又はブロック図の所与のブロックの機能性は、複数のブロックに分けられてもよく、並びに／又は、フローチャート及び／若しくはブロック図の２つ以上のブロックの機能性は、少なくとも部分的に統合されてもよい。最後に、例示されるブロック間に他のブロックが追加され／挿入されてもよい。さらに、図のうちのいくつかは、通信の主な方向を示すために通信パス上に矢印を含むが、図示される矢印とは反対の方向において通信が生じ得ることが理解されるべきである。
【００５７】
上の説明及び図面との関係において、多くの異なる実施形態をここで開示した。それら実施形態のあらゆる組合せ及び副次的な組合せを文字通り説明し例示することは、過度に反復的で分かりにくくなることが理解されるであろう。そのため、本明細書は、図面を含めて、実施形態の多様な例示的な組合せ及び副次的な組合せと、それらを活用するやり方及び処理との、完全な書面での説明を構成するものと解釈されるべきであって、任意のそうした組合せ及び副次的な組合せについての請求項を裏付けるものとする。
【００５８】
本発明の原理から実質的に逸脱することなく、多くの変形及び修正が上記実施形態になされることができる。そのような変形及び修正の全ては、ここでは本発明の範囲内に含まれることが意図される。
【図１】
2015519794.tif 000003
【図２】
2015519794.tif 000004
【図３】
2015519794.tif 000005
【図４】
2015519794.tif 000006
【図５】
2015519794.tif 000007
【図６】
2015519794.tif 000008
【図７】
2015519794.tif 000009
【図８】
2015519794.tif 000010
【図９】
2015519794.tif 000011
【図１０】
2015519794.tif 000012
【図１１】
2015519794.tif 000013
【図１２】
2015519794.tif 000014
【図１３】
2015519794.tif 000015
【図１４】
2015519794.tif 000016
【手続補正書】
【提出日】平成25年12月12日(2013.12.12)
【手続補正１】
【補正対象書類名】明細書
【補正対象項目名】０００１
【補正方法】削除
【補正の内容】
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
パケット転送モードで移動局（１００）を動作させる方法であって、
基地局（１２２）から、前記移動局（１００）へアップリンクＴＢＦを割り当てる一時ブロックフロー（ＴＢＦ）割り当てメッセージを受信すること（９００）と、
アップリンクキュー内で利用可能なデータパケットを、前記アップリンクＴＢＦを用いて前記基地局（１２２）へ送信すること（９０２）と、
ダウンリンクのパケット関連制御チャネルを、分散タイミングアドバンスメッセージの到来についてモニタリングすること（９０４）と、
複数の移動局識別子及び関連付けられるタイミングアドバンス値を含む前記分散タイミングアドバンスメッセージを、基地局（１２２）からダウンリンクの前記パケット関連制御チャネル上で受信すること（５００）と、
前記アップリンクキュー内で新たなデータパケットが利用可能であると判定すること（９０８）と、
前記移動局（１００）に対応するものとして、複数の移動局識別子及び関連付けられるタイミングアドバンス値を含む前記分散タイミングアドバンスメッセージ内で受信された前記移動局識別子のうちの１つを識別すること（５０２）と、
前記移動局識別子のうちの前記識別された１つに関連付けられる前記タイミングアドバンス値を、前記基地局（１２２）への前記新たなデータパケットの送信のための使用のために判定すること（５０４）と、
前記タイミングアドバンス値に応じて、前記基地局（１２２）へのアップリンク送信のタイミングを調整すること（５０６）と、
前記アップリンクＴＢＦと前記新たなデータパケットの送信のために判定された前記タイミングアドバンス値とを用いて、前記基地局（１２２）へ前記新たなパケットを送信すること（９１２）と、
を含む方法。
【請求項２】
前記移動局識別子は、一時フローアイデンティティ値であり、
前記分散タイミングアドバンスメッセージは、一時フローアイデンティティ値及びタイミングアドバンス値の関連付けられる複数のペアを含む、
請求項１の方法。
【請求項３】
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、ルーティングエリア更新メッセージ内に設定すること（６００）と、
前記基地局（１２２）を介してサービングＧＰＲＳサポートノード（１３０）へ前記ルーティングエリア更新メッセージを送信すること（６０２）と、
をさらに含む、請求項１〜２のいずれかの方法。
【請求項４】
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（７００）と、
前記基地局（１２２）を介してサービングＧＰＲＳサポートノード（１３０）へ、ＧＰＲＳアタッチプロセスの期間中に前記アップリンクメッセージを送信すること（７０２）と、
をさらに含む、請求項１〜３のいずれかの方法。
【請求項５】
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（８００）と、
前記基地局（１２２）を介して基地局サブシステム（１２２）へ、アップリンクパケット転送プロセスの期間中に前記アップリンクメッセージを送信すること（８０２）と、
をさらに含む、請求項１〜４のいずれかの方法。
【請求項６】
少なくとも１つのプロセッサ（１４２０）と、
前記少なくとも１つのプロセッサ（１４２０）へ連結され、少なくとも１つのメモリ（１４２２）において具現化されるコンピュータ読取可能なプログラムコードを含む当該少なくとも１つのメモリ（１４２２）と、
を備える移動局（１００）であって、
前記コンピュータ読取可能なプログラムコードは、前記少なくとも１つのプロセッサ（１４２０）により実行された場合に、前記少なくとも１つのプロセッサ（１４２０）に、
基地局（１２２）から、前記移動局（１００）へアップリンクＴＢＦを割り当てる一時ブロックフロー（ＴＢＦ）割り当てメッセージを受信すること（９００）と、
アップリンクキュー内で利用可能なデータパケットを、前記アップリンクＴＢＦを用いて前記基地局（１２２）へ送信すること（９０２）と、
ダウンリンクのパケット関連制御チャネルを、分散タイミングアドバンスメッセージの到来についてモニタリングすること（９０４）と、
複数の移動局識別子及び関連付けられるタイミングアドバンス値を含む前記分散タイミングアドバンスメッセージを、基地局（１２２）からダウンリンクの前記パケット関連制御チャネル上で受信すること（５００）と、
前記アップリンクキュー内で新たなデータパケットが利用可能であると判定すること（９０８）と、
前記移動局（１００）に対応するものとして、複数の移動局識別子及び関連付けられるタイミングアドバンス値を含む前記分散タイミングアドバンスメッセージ内で受信された前記移動局識別子のうちの１つを識別すること（５０２）と、
前記移動局識別子のうちの前記識別された１つに関連付けられる前記タイミングアドバンス値を、前記基地局（１２２）への前記新たなデータパケットの送信のための使用のために判定すること（５０４）と、
前記タイミングアドバンス値に応じて、前記基地局（１２２）へのアップリンク送信のタイミングを調整すること（５０６）と、
前記アップリンクＴＢＦと前記新たなデータパケットの送信のために判定された前記タイミングアドバンス値とを用いて、前記基地局（１２２）へ前記新たなパケットを送信すること（９１２）と、
を含む動作を実行させる、移動局。
【請求項７】
前記移動局識別子は、一時フローアイデンティティ値であり、
前記タイミングアドバンスメッセージは、一時フローアイデンティティ値及びタイミングアドバンス値の関連付けられる複数のペアを含む、
請求項６の移動局（１００）。
【請求項８】
前記少なくとも１つのプロセッサ（１４２０）により実行された場合に、前記少なくとも１つのプロセッサ（１４２０）に、
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、ルーティングエリア更新メッセージ内に設定すること（６００）と、
前記基地局（１２２）を介してサービングＧＰＲＳサポートノード（１３０）へ前記ルーティングエリア更新メッセージを送信すること（６０２）と、
を含む動作を実行させる、前記少なくとも１つのメモリ（１４２２）において具現化されるコンピュータ読取可能なプログラムコード、をさらに含む、請求項６〜７のいずれかの移動局（１００）。
【請求項９】
前記少なくとも１つのプロセッサ（１４２０）により実行された場合に、前記少なくとも１つのプロセッサ（１４２０）に、
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（７００）と、
前記基地局（１２２）を介してサービングＧＰＲＳサポートノード（１３０）へ、ＧＰＲＳアタッチプロセスの期間中に前記アップリンクメッセージを送信すること（７０２）と、
を含む動作を実行させる、前記少なくとも１つのメモリ（１４２２）において具現化されるコンピュータ読取可能なプログラムコード、をさらに含む、請求項６〜８のいずれかの移動局（１００）。
【請求項１０】
前記少なくとも１つのプロセッサ（１４２０）により実行された場合に、前記少なくとも１つのプロセッサ（１４２０）に、
複数の移動局識別子及び関連付けられるタイミングアドバンス値を含む分散タイミングアドバンスメッセージから前記移動局（１００）が前記移動局（１００）のためのタイミングアドバンス値を判定することが可能であることを示す値を、アップリンクメッセージ内に設定すること（８００）と、
前記基地局（１２２）を介して基地局サブシステム（１２０）へ、アップリンクパケット転送プロセスの期間中に前記アップリンクメッセージを送信すること（８０２）と、
を含む動作を実行させる、前記少なくとも１つのメモリ（１４２２）において具現化されるコンピュータ読取可能なプログラムコード、をさらに含む、請求項６〜９のいずれかの移動局（１００）。
【請求項１１】
複数の移動局（１００）へタイミングアドバンス値を通信するために基地局サブシステム（１２０）を動作させる方法であって、
前記複数の移動局（１００）についてのタイミングアドバンス値を取得すること（１０００）と、
前記複数の移動局（１００）についての複数の移動局識別子及び対応する前記タイミングアドバンス値を含む分散タイミングアドバンスメッセージを生成すること（１００２）と、前記移動局識別子は、一時フローアイデンティティ値であることと、
前記分散タイミングアドバンスメッセージを、ダウンリンクのパケット関連制御チャネル上で前記複数の移動局（１００）へ通信すること（１００４）と、
を含む方法。
【請求項１２】
前記一時フローアイデンティティ値及び前記タイミングアドバンス値の前記複数のペアの数は、同じアップリンク無線周波数チャネル上のアップリンク一時ブロックフローを割り当てられた前記移動局（１００）であって、少なくとも１つの共通タイムスロット上でダウンリンク制御メッセージをモニタリングする当該移動局（１００）の数に基づく、
請求項１１の方法。
【請求項１３】
ＧＰＲＳアタッチプロセスの期間中に、前記移動局（１００）のうちの１つからメッセージを受信すること（１１００）と、
複数の移動局識別子及び関連付けられるタイミングアドバンス値を含む前記分散タイミングアドバンスメッセージから前記移動局（１００）のうちの前記１つがタイミングアドバンス値を判定することが可能であることを示す値を、前記メッセージが含むこと、を判定すること（１１０２）と、
前記移動局（１００）のうちの前記１つについての移動局識別子及び関連付けられるタイミングアドバンス値を含むように、前記タイミングアドバンスメッセージを生成すること（１１０４）と、
をさらに含む、請求項１１の方法。
【請求項１４】
サービングＧＰＲＳサポートノード（１３０）からメッセージを受信すること（１２００）と、
複数の移動局識別子及び関連付けられるタイミングアドバンス値を含む前記分散タイミングアドバンスメッセージから前記移動局（１００）のうちの１つがタイミングアドバンス値を判定することが可能であることを示す値を、前記メッセージが含むこと、を判定すること（１２０２）と、
前記移動局（１００）のうちの前記１つについての移動局識別子及び関連付けられるタイミングアドバンス値を含むように、前記タイミングアドバンスメッセージを生成すること（１２０４）と、
をさらに含む、請求項１１の方法。
【請求項１５】
少なくとも１つのプロセッサ（１４００）と、
前記少なくとも１つのプロセッサ（１４００）へ連結され、少なくとも１つのメモリ（１４０２）において具現化されるコンピュータ読取可能なプログラムコードを含む当該少なくとも１つのメモリ（１４０２）と、
を備える基地局サブシステム（１２０）であって、
前記コンピュータ読取可能なプログラムコードは、前記少なくとも１つのプロセッサ（１４２０）により実行された場合に、前記少なくとも１つのプロセッサ（１４２０）に、
複数の移動局（１００）についてのタイミングアドバンス値を取得すること（１０００）と、
前記複数の移動局（１００）についての一時フローアイデンティティ値である複数の移動局識別子及び対応する前記タイミングアドバンス値を含む分散タイミングアドバンスメッセージを生成すること（１００２）と、
前記分散タイミングアドバンスメッセージを、ダウンリンクのパケット関連制御チャネル上で前記複数の移動局（１００）へ通信すること（１００４）と、
を含む動作を実行させる、基地局サブシステム。
【請求項１６】
前記一時フローアイデンティティ値及び前記タイミングアドバンス値の前記複数のペアの数は、同じアップリンク無線周波数チャネル上のアップリンク一時ブロックフローを割り当てられた前記移動局（１００）であって、少なくとも１つの共通タイムスロット上でダウンリンク制御メッセージをモニタリングする当該移動局（１００）の数に基づく、
請求項１５の基地局サブシステム（１２０）。
【請求項１７】
前記少なくとも１つのプロセッサ（１４００）により実行された場合に、前記少なくとも１つのプロセッサ（１４００）に、
ＧＰＲＳアタッチプロセスの期間中に、前記移動局（１００）のうちの１つからメッセージを受信すること（１１００）と、
複数の移動局識別子及び関連付けられるタイミングアドバンス値を含む前記分散タイミングアドバンスメッセージから前記移動局（１００）のうちの前記１つがタイミングアドバンス値を判定することが可能であることを示す値を、前記メッセージが含むこと、を判定すること（１１０２）と、
前記移動局（１００）のうちの前記１つについての移動局識別子及び関連付けられるタイミングアドバンス値を含むように、前記分散タイミングアドバンスメッセージを生成すること（１１０４）と、
を含む動作を実行させる、前記少なくとも１つのメモリ（１４０２）において具現化されるコンピュータ読取可能なプログラムコード、をさらに含む、請求項１５の基地局サブシステム（１２０）。
【請求項１８】
前記少なくとも１つのプロセッサ（１４００）により実行された場合に、前記少なくとも１つのプロセッサ（１４００）に、
サービングＧＰＲＳサポートノード（１３０）からメッセージを受信すること（１２００）と、
複数の移動局識別子及び関連付けられるタイミングアドバンス値を含む前記分散タイミングアドバンスメッセージから前記移動局（１００）のうちの１つがタイミングアドバンス値を判定することが可能であることを示す値を、前記メッセージが含むこと、を判定すること（１２０２）と、
前記移動局（１００）のうちの前記１つについての移動局識別子及び関連付けられるタイミングアドバンス値を含むように、前記分散タイミングアドバンスメッセージを生成すること（１２０４）と、
を含む動作を実行させる、前記少なくとも１つのメモリ（１４０２）において具現化されるコンピュータ読取可能なプログラムコード、をさらに含む、請求項１５の基地局サブシステム（１２０）。
【国際調査報告】
2015519794.tif 000017
2015519794.tif 000018
2015519794.tif 000019